(57)【要約】【課題】フレームに凹みを設けることなく天板を固定できる加熱調理器を提供する。【解決手段】本体ケース１の上部に設けられ、調理容器６１が載置される天板２の外周部を覆うフレーム３と、フレーム３の左右方向の両側に設けられ、天板２を下から支持する長方形状の支持板と、フレーム３の支持板の各端部と対向する部分にそれぞれ設けられた受け台２１、２２と、受け台２１、２２とでフレーム３及び支持板の各端部を狭持し、天板２の外周部をフレーム３と支持板とで狭持させる固定具とを備えた。【選択図】図１
2014137880.tif 000002
【特許請求の範囲】
【請求項１】
内部に加熱コイルを有する本体ケースと、
前記本体ケースの上部に設けられ、調理容器が載置される天板の外周部を覆うフレームと、
前記フレームの左右方向の両側に設けられ、前記天板を下から支持する長方形状の支持板と、
前記フレームの前記支持板の各端部と対向する部分にそれぞれ設けられた受け台と、
前記受け台とで前記フレーム及び前記支持板の各端部を狭持し、前記天板の外周部を前記フレームと前記支持板とで狭持させる固定具と
を備えたことを特徴とする加熱調理器。
【請求項２】
前記フレームのうち手前側の前フレームの左右方向の両端部に第１穴が設けられ、
前記受け台の前記前フレームと対向する裏面に、前記第１穴を貫通する突出部が設けられ、
前記支持板の両端部のうち前記前フレーム側の前端部に、前記受け台の突出部が入り込む第１凹部を有し、
前記固定具にネジが使用され、
前記ネジを前記支持板の第１凹部に下方から挿入して前記受け台の突出部にねじ込み、前記受け台と前記ネジの頭とで前記前フレーム及び前記支持板の第１凹部を狭持することを特徴とする請求項１記載の加熱調理器。
【請求項３】
前記フレームのうち奧側の後フレームに、左右方向に延びる長方形状の第２凹部が設けられ、
前記第２凹部の底面の両端部に第２穴が設けられ、
前記受け台の前記後フレームと対向する裏面に、前記第２穴を貫通する突出部が設けられ、
前記固定具にネジが使用され、
前記ネジを前記支持板に下方から挿入して前記受け台の突出部にねじ込み、前記受け台と前記ネジの頭とで前記後フレーム及び前記支持板の後端部を狭持することを特徴とする請求項１又は２記載の加熱調理器。
【請求項４】
前記前フレームの左右方向の両端部に設けられた前記第１穴を底面に有する第３凹部が設けられ、
前記受け台は、当該受け台の突出部を前記第１穴に挿入されて前記第３凹部内に設置され、
前記第３凹部の深さは、前記受け台の上面が操作部のシート板で覆われたときに、前記前フレームの周辺部の面と同一となるように設定されていることを特徴とする請求項２又は３記載の加熱調理器。
【請求項５】
前記第２凹部の底面の両端部に設けられた前記第２穴の間に吸気口及び排気口が設けられ、
前記第２穴に挿入されて前記第２凹部内に設置された受け台は、吸気口及び排気口を被せるカバーで覆われていることを特徴とする請求項３又は４記載の加熱調理器。
【発明の詳細な説明】
【技術分野】
【０００１】
本発明は、例えば、天板に載置された調理容器を誘導加熱し、調理容器内の調理物を加熱調理する加熱コイルを備えた加熱調理器に関するものである。
【背景技術】
【０００２】
従来の加熱調理器として、トップフレームにかしめナットを所定数、所定部位にかしめて固定し、天板の外周部をアンダーフレームに載置してトップフレームと嵌合し、かしめナットに対応したアンダーフレームの穴にネジを挿入して締め付け、天板を固定するものがある（例えば、特許文献１参照）。
【先行技術文献】
【特許文献】
【０００３】
【特許文献１】特許第４２８９３７０号公報（第４頁、図３）
【発明の概要】
【発明が解決しようとする課題】
【０００４】
前述した従来の加熱調理器では、トップフレームの所定部位をかしめて凹み形成し、ネジの先端がトップフレームから突出しないようにしているが、見栄えが悪く、凹みにゴミが溜まるという課題があった。
この課題を解決する手段として、シート材で凹みを隠す方法があるが、シート材によっては凹みが透けて見えたり、手が触れたときには、その部分が凹んでいることが分かり、利用者に違和感を与えるという課題がある。
【０００５】
本発明は、前述のような課題を解決するためになされたもので、フレームに凹みを設けることなく天板を固定できる加熱調理器を得ることを目的とする。
【課題を解決するための手段】
【０００６】
本発明に係る加熱調理器は、内部に加熱コイルを有する本体ケースと、本体ケースの上部に設けられ、調理容器が載置される天板の外周部を覆うフレームと、フレームの左右方向の両側に設けられ、天板を下から支持する長方形状の支持板と、フレームの支持板の各端部と対向する部分にそれぞれ設けられた受け台と、この受け台とでフレーム及び支持板の各端部を狭持し、天板の外周部をフレームと支持板とで狭持させる固定具とを備えたものである。
【発明の効果】
【０００７】
本発明によれば、フレームに設けられた受け台と固定具とでフレーム及び支持板の各端部を狭持するようにしている。このため、フレームに凹みを設けることなく、天板の外周部をフレームと支持板とで狭持させることができる。この構成により、ネジの先端がフレームの表面から見えるということがなくなり、凹みによるゴミが溜まるということがなくなり、意匠性も向上する。
【図面の簡単な説明】
【０００８】
【図１】実施の形態１に係る加熱調理器の外観を示す斜視図である。
【図２】図１の加熱調理器において前フレームを矢視の方向から見て示すＡ−Ａ断面の拡大図である。
【図３】図１の加熱調理器において後フレームを矢視の方向から見て示すＢ−Ｂ断面の拡大図である。
【図４】図１のフレームを下方から見て示す平面図である。
【図５】実施の形態２に係る加熱調理器の外観を示す斜視図である。
【図６】図５の操作パネル、吸気カバー及び排気カバーを取り外して示す加熱調理器の斜視図である。
【図７】図５の加熱調理器において前フレームを矢視の方向から見て示すＣ−Ｃ断面の拡大図である。
【図８】図５の加熱調理器において後フレームを矢視の方向から見て示すＤ−Ｄ断面の拡大図である。
【発明を実施するための形態】
【０００９】
以下、本発明に係る加熱調理器の実施の形態を説明する。なお、以下に示す図面の形態によって本発明が限定されるものではない。また、各図において、同一の構成には同一の符号を付している。
【００１０】
実施の形態１．
図１は実施の形態１に係る加熱調理器の外観を示す斜視図である。
実施の形態１の加熱調理器は、図１に示すように、板金で構成された本体ケース１の上部に設けられた天板２、本体ケース１内に天板２に対向して配置された例えば左加熱コイル、右加熱コイル及び中央加熱コイル、本体ケース１内に左加熱コイルと中央加熱コイルの下方に配置されたグリル加熱庫などを主要部品として備えている。
【００１１】
なお、本実施の形態においては、加熱コイルを３つとしているが、これに限定されるものではなく、例えば加熱コイルを２つあるいは４つでもよい。また、中央加熱コイルに代えて、ラジエントヒーターなどの電気ヒーターを用いてもよい。
【００１２】
天板２は、耐熱強化ガラスより構成され、外周部に額縁状のフレーム３が装着された状態で本体ケース１に取り付けられている。この天板２は、サイズが大きく重量があることから、少なくともフレーム３の奥側の後フレーム３２が本体ケース１にネジで固定されている。また、天板２は、後述するが、フレーム３の左右方向の両側に設けられた長方形状の支持板によって支持されている。
【００１３】
天板２には、左加熱コイルに対向する部分に調理容器６１の載置位置を示す左載置部４が表示され、右加熱コイルに対向する部分に右載置部５が表示されている。更に、天板２の中央加熱コイルに対向する部分には、中央載置部６が表示されている。
【００１４】
フレーム３の手前側の前フレーム３１には、上面操作部７が配置されている。この上面操作部７は、例えば、左加熱コイル、右加熱コイル及びグリル加熱庫の加熱動作の設定を受け付けるためのキースイッチ、キースイッチの操作に応じて火力を表示する火力表示部などで構成されている。
【００１５】
本体ケース１の前面の左側には、グリル扉８が設けられている。このグリル扉８は、本体ケース１内に設けられたグリル加熱庫の前面開口部を開閉自在に覆う扉である。グリル扉８は、グリル加熱庫内で加熱調理される魚などの被加熱物をグリル加熱庫内に出し入れできるように、グリル加熱庫内の奥行き方向にスライドできるように構成されている。
【００１６】
本体ケース１の前面の右側には、グリル扉８に隣接して前面操作部９が設けられている。この前面操作部９は、例えば、左加熱コイル、右加熱コイル及び中央加熱コイルの各火力を調節するための火力調節ダイヤル、各加熱コイルの動作時間を設定するためのタイマー設定ダイヤル、電源スイッチなどで構成されている。
【００１７】
フレーム３の奥側の後フレーム３２には、複数の通気穴を有する排気カバー１０と吸気カバー１１が取り外し可能に設置されている。後フレーム３２の排気カバー１０と対向する部分には、本体ケース１の内部を冷却した後の冷却風及びグリル加熱庫からの排気を外部に排出するための排気口が設けられている。また、後フレーム３２の吸気カバー１１と対向する部分には、外部の空気を本体ケース１内に取り込むための吸気口が設けられている。なお、本実施の形態では、排気カバー１０と吸気カバー１１をそれぞれ設けたが、吸気口及び排気口を１つのカバーで覆うようにしてもよい。
【００１８】
前フレーム３１の左右方向の両端部に上面操作部７を挟むように２つの受け台２１が設けられている。後フレーム３２の左右方向の両端部には、２つの受け台２２が設けられている。この受け台２２は、後述するが、後フレーム３２に設けられた第３凹部内に設置されている。受け台２１は、固定具であるネジとで前フレーム３１及び支持板の前端部を狭持しており、受け台２２は、ネジとで後フレーム３２及び支持板の後端部を狭持している。
【００１９】
ここで、受け台２１、２２、前フレーム３１及び後フレーム３２、支持板の構成について、図２〜図４を用いて説明する。
図２は図１の加熱調理器において前フレームを矢視の方向から見て示すＡ−Ａ断面の拡大図、図３は図１の加熱調理器において後フレームを矢視の方向から見て示すＢ−Ｂ断面の拡大図、図４は図１のフレームを下方から見て示す平面図である。なお、図４は天板２を取り外した状態を示している。
【００２０】
フレーム３の前フレーム３１には、左右方向の両端部に例えば円形状の第１穴３１ａが設けられている（図２参照）。後フレーム３２には、左右方向に延びる長方形状の第２凹部３２ａが設けられている。この第２凹部３２ａの底面の両端部には、第２穴３２ｂが設けられ（図３参照）、更に、その第２穴３２ｂの間に、前述の吸気口１１ａ及び排気口１０ａが設けられている（図４参照）。
【００２１】
受け台２１は、図２に示すように、前フレーム３１と対向する裏面に円柱形状の突出部２１ａを有する断面略Ｔ字状に形成されている。受け台２１の突出部２１ａには、軸心方向にネジ穴が施されている。この受け台２１は、突出部２１ａが前フレーム３１に設けられた第１穴３１ａを貫通した状態で、前フレーム３１上に設置される。
【００２２】
受け台２２は、図３に示すように、後フレーム３２に形成された第２凹部３２ａの底面と対向する裏面に円柱形状の突出部２２ａを有する断面略Ｔ字状に形成されている。受け台２２の突出部２２ａには、軸心方向にネジ穴が施され、ネジ穴の外側にリング形状の溝が設けられている。この受け台２２は、突出部２２ａが第２凹部３２ａの底面に設けられた第２穴３２ｂを貫通した状態で、その第２凹部３２ａの底面上に設置される。なお、前述したリング形状の溝は無くてもよい。
【００２３】
支持板４１は、図４に示すように、フレーム３の左右両側に設けられ、フレーム３の前後方向に延びる長方形状に形成された板金で構成されている。この支持板４１は、前述したように、天板２の裏面の両端部を支持している。
【００２４】
支持板４１の前フレーム３１側の前端部は、図２に示すように、天板２の端部の位置から上方に直角に折り曲げられて、凸部４２と第１凹部４３が連続して形成されてなっている。その第１凹部４３の底面には、ネジ５１の挿入穴４３ａが設けられている。支持板４１の後フレーム３２側の後端部は、図３に示すように、受け台２２の突出部２２ａより外側の位置から上方に直角に折り曲げられ、更に、後フレーム３２の第２凹部３２ａの底面に接触するように、後方へ直角に折り曲げられてなっている。支持板４１の後端部には、ネジ５１の挿入穴４１ａが設けられている。この挿入穴４１ａの中心は、後フレーム３２の第２凹部３２ａの底面に設けられた第２穴３２ｂの軸心上に位置するように設けられている。
【００２５】
図２に示すように、受け台２１の突出部２１ａを前フレーム３１の第１穴３１ａに挿入して、その受け台２１を前フレーム３１の表面に設置する。そして、受け台２１の突出部２１ａのネジ穴に、支持板４１の前端部に形成された第１凹部４３の挿入穴４３ａを合わせて、ネジ５１を挿入穴４３ａから挿入してネジ穴にねじ込んで締め付ける。この時、受け台２１とネジ５１の頭とで前フレーム３１及び支持板４１の第１凹部４３が狭持される。
【００２６】
一方、図３に示すように、受け台２２の突出部２２ａを後フレーム３２に形成された第２凹部３２ａの第２穴３２ｂに挿入して、受け台２２を後フレーム３２の第２凹部３２ａ内に設置する。そして、受け台２２の突出部２２ａのネジ穴に、支持板４１の後端部に設けられた挿入穴４１ａを合わせて、ネジ５１を挿入穴４１ａから挿入してネジ穴にねじ込んで締め付ける。この時、受け台２２とネジ５１の頭とで後フレーム３２及び支持板４１の後端部が狭持される。
以上、４カ所からの締め付けにより、天板２の外周部がフレーム３と支持板４１とで狭持される。
【００２７】
以上のように実施の形態１によれば、フレーム３に設けられた受け台２１、２２とネジ５１とでフレーム３及び支持板４１の各端部を狭持するようにしている。このため、フレーム３に凹みを設けることなく、天板２の外周部をフレーム３と支持板４１とで狭持させることができる。この構成により、ネジ５１の先端がフレーム３の表面から見えるということがなくなり、凹みによるゴミが溜まるということがなくなり、意匠性も向上する。
【００２８】
実施の形態２．
図５は実施の形態２に係る加熱調理器の外観を示す斜視図、図６は図５の操作パネル、吸気カバー及び排気カバーを取り外して示す加熱調理器の斜視図、図７は図５の加熱調理器において前フレームを矢視の方向から見て示すＣ−Ｃ断面の拡大図、図８は図５の加熱調理器において後フレームを矢視の方向から見て示すＤ−Ｄ断面の拡大図である。なお、実施の形態２においては、実施の形態１と異なる部分だけを説明する。
【００２９】
実施の形態２の加熱調理器においては、図５及び図６に示すように、前フレーム３１の両端部に設けられた２つの受け台２３は、上面操作部７のシート板７ａに覆われている。また、後フレーム３２の両端部に設けられた一方の受け台２４は、排気カバー１０に覆われ、他方の受け台２４は、吸気カバー１１に覆われている。
【００３０】
前フレーム３１には、上面操作部７のシート板７ａの厚み分凹み、更に受け台２３の厚み分凹んで形成された第３凹部３１ｂが設けられている。この第３凹部３１ｂの底面（前フレーム３１の一部）には、第１穴３１ａが設けられている。第３凹部３１ｂにより、受け台２３の突出部２３ａの高さが、実施の形態１の受け台２１の突出部２１ａと比べ低くなっている。また、支持板４１の前端部に形成された凸部４２と第１凹部４３は、受け台２１の突出部２１ａの高さに伴って、実施の形態１と比べ浅くなっている。
【００３１】
後フレーム３２の第２凹部３２ａに設置された受け台２４の形状は、実施の形態１と同様である。前述したように、一方の受け台２４は、排気口１０ａを覆う排気カバー１０によって隠蔽されており、他方の受け台２４は、吸気口１１ａを覆う吸気カバー１１によって隠蔽されている。
【００３２】
図７に示すように、受け台２３の突出部２３ａを前フレーム３１の第１穴３１ａに挿入して、その受け台２３を前フレーム３１の第３凹部３１ｂ内に設置する。そして、受け台２３の突出部２３ａのネジ穴に、支持板４１の前端部に形成された第１凹部４３の挿入穴４３ａを合わせて、ネジ５１を挿入穴４３ａから挿入してネジ穴にねじ込んで締め付ける。この時、受け台２３とネジ５１の頭とで前フレーム３１及び支持板４１の第１凹部４３が狭持される。その後、上面操作部７と２つの受け台２３とをシート板７ａで覆って固着した場合、シート板７ａと前フレーム３１の表面とが同一面となる。
【００３３】
一方、図８に示すように、受け台２４の突出部２４ａを後フレーム３２に形成された第２凹部３２ａの第２穴３２ｂに挿入して、その受け台２４を後フレーム３２の第２凹部３２ａ内に設置する。そして、受け台２４の突出部２４ａのネジ穴に、支持板４１の後端部に設けられた挿入穴４１ａを合わせて、ネジ５１を挿入穴４１ａから挿入してネジ穴にねじ込んで締め付ける。この時、受け台２４とネジ５１の頭とで後フレーム３２及び支持板４１の後端部が狭持される。その後、後フレーム３２の凹部３２ａに設けられた排気口１０ａと吸気口１１ａを、それぞれ排気カバー１０及び吸気カバー１１で覆った場合、２つの受け台２４も覆われる。
以上、４カ所からの締め付けにより、天板２の外周部がフレーム３と支持板４１とで狭持される。
【００３４】
以上のように実施の形態２によれば、フレーム３に設けられた受け台２３、２４とネジ５１とでフレーム３及び支持板４１の各端部を狭持するようにしている。このため、フレーム３に凹みを設けることなく、天板２の外周部をフレーム３と支持板４１とで狭持させることができる。この構成により、凹みによるゴミが溜まるということがなくなる。また、受け台２３を前フレーム３１の第３凹部３１ｂに組み込み、受け台２４を排気カバー１０及び吸気カバー１１で覆うようにしているので、意匠性がより向上する。
【符号の説明】
【００３５】
１  本体ケース、２  天板、３  フレーム、４  左載置部、５  右載置部、６  中央載置部、７  上面操作部、７ａ  シート板、８  グリル扉、９  前面操作部、１０  排気カバー、１０ａ  排気口、１１  吸気カバー、１１ａ  吸気口、２１  受け台、２１ａ  突出部、２２  受け台、２２ａ  突出部、２３  受け台、２３ａ  突出部、２４  受け台、２４ａ  突出部、３１  前フレーム、３１ａ  第１穴、３１ｂ  第３凹部、３２  後フレーム、３２ａ  第２凹部、３２ｂ  第２穴、４１  支持板、４１ａ  挿入穴、４２  凸部、４３  第１凹部、４３ａ  挿入穴、５１  ネジ、６１  調理容器。
【図１】
2014137880.tif 000003
【図２】
2014137880.tif 000004
【図３】
2014137880.tif 000005
【図４】
2014137880.tif 000006
【図５】
2014137880.tif 000007
【図６】
2014137880.tif 000008
【図７】
2014137880.tif 000009
【図８】
2014137880.tif 000010